(57)【要約】【課題】  入口付近のねじ山が傷んだ雌ねじや表面処理が施された雌ねじを簡単に修復する。【解決手段】床下や壁裏に配管される水やガスなどの流体管１０および該流体管１０が挿通されるさや管１１と、床上や壁表の管器具１４とを接続する中継接続具１が、筒状体２１および該筒状体２１の上端に一体に形成されたフランジ２２からなるボックス２と、ボックス２の筒状体２１に収納され、接続部３１および取付部３２を有する継手部材３とから構成される。そして、床板１２に形成される配管穴１２１の周縁にボックス２のフランジ２２が載置固定され、その筒状体２１にさや管１１が取り付けられ、また、継手部材３の接続部３１に立上管１４が接続されるとともに、その取付部３２に流体管１０が連結される。さらに、ボックス２の筒状体２１に雌ねじ２１１が形成される一方、継手部材３の接続部３１に雄ねじ３１１が形成され、両者がねじ結合される。【選択図】  図３
2006283357.tif 000002
【特許請求の範囲】
【請求項１】
床下や壁裏に配管される水やガスなどの可撓性流体管および該流体管が挿通される可撓性さや管と、床上や壁表の管器具とを接続する中継接続具であって、該中継接続具が、筒状体および該筒状体の上端に一体に形成されたフランジからなるボックスと、ボックスの筒状体に収納され、接続部および取付部を有する継手部材と、から構成され、床板や壁板に形成される配管穴の周縁にフランジが載置固定されるボックスの筒状体にさや管が取り付けられ、また、継手部材の接続部に床上や壁表に配設される管器具が接続されるとともに、その取付部に流体管が連結され、さらに、ボックスの筒状体に雌ねじが形成される一方、継手部材の接続部にボックスの雌ねじに対応する雄ねじが形成され、ボックスの筒状体に継手部材の接続部がねじ結合されることを特徴とする流体管の中継接続具。
【請求項２】
床下や壁裏に配管される水やガスなどの可撓性流体管および該流体管が挿通される可撓性さや管と、床上や壁表の管器具とを接続する中継接続具であって、該中継接続具が、筒状体および該筒状体の上端に一体に形成されたフランジからなるボックスと、ボックスの筒状体に収納され、接続部および取付部を有するとともに、接続部の上端にフランジが一体に形成された継手部材と、から構成され、床板や壁板に形成される配管穴の周縁にフランジが載置固定されるボックスの筒状体にさや管が取り付けられ、また、継手部材の接続部に床上や壁表に配設される管器具が接続されるとともに、その取付部に流体管が連結され、さらに、ボックスのフランジに継手部材のフランジが嵌合可能な凹部が形成され、ボックスのフランジの凹部に継手部材のフランジが嵌合されるとともに、ボックスのフランジに継手部材のフランジがビスを介してねじ結合されることを特徴とする流体管の中継接続具。
【請求項３】
前記ボックスに、さや管と着脱自在な着脱部を有するカップリングがねじ結合されていることを特徴とする請求項１または２記載の流体管の中継接続具。
【発明の詳細な説明】
【技術分野】
【０００１】
この発明は、洗面所やトイレなどにおいて、床下や壁裏に配管される水、ガスなどの流体管が挿通されるさや管と、床上や壁表の管器具とを接続する中継接続具に関するものである。
【背景技術】
【０００２】
従来より、水やガスなどの流体管を建物内に配管する場合、樹脂製の可撓性流体管を可撓性さや管内に挿通して、床下や壁裏に配管することが実施されている。そして、洗面所やトイレなどにおいて、床下や壁裏に配管されたさや管を、床上や壁表の管器具に継手部材を介して接続するようにしている。
【０００３】
この場合、床下や壁裏に配管されたさや管は、可撓性を有するため、床上や壁表の管器具をさや管によって支持することはできない。このため、床下や壁裏に配管されたさや管と、床上や壁表の管器具との接続には、床や壁にボックスを固定するとともに、ボックスに継手部材を収納し、ボックスにさや管を固定する一方、継手部材に流体管および床上や壁表の管器具とを接続するようにしている（例えば、特許文献１参照）。
【特許文献１】特公平６−５６０３０号公報
【発明の開示】
【発明が解決しようとする課題】
【０００４】
しかしながら、前述したボックスおよび継手部材からなる中継接続具は、継手部材に形成された鍔状固定部をボックスの掛止部に重ね、あるいは、ボックスの掛止部に形成された切欠部に配置し、複数個のビスを介して床や壁にそれぞれ固定する構造であるため、継手部材に鍔状固定部を形成する必要があり、特別に注文して鋳造しなければならず、コストがかさむという欠点があった。
【０００５】
本発明は、このような問題点に鑑みてなされたもので、安価に製造することができるとともに、固定に際して作業性を損なうこともない流体管の中継接続具を提供するものである。
【課題を解決するための手段】
【０００６】
本発明は、床下や壁裏に配管される水やガスなどの可撓性流体管および該流体管が挿通される可撓性さや管と、床上や壁表の管器具とを接続する中継接続具であって、該中継接続具が、筒状体および該筒状体の上端に一体に形成されたフランジからなるボックスと、ボックスの筒状体に収納され、接続部および取付部を有する継手部材とから構成され、床板や壁板に形成される配管穴の周縁にフランジが載置固定されるボックスの筒状体にさや管が取り付けられ、また、継手部材の接続部に床上や壁表に配設される管器具が接続されるとともに、その取付部に流体管が連結され、さらに、ボックスの筒状体に雌ねじが形成される一方、継手部材の接続部にボックスの雌ねじに対応する雄ねじが形成され、ボックスの筒状体に継手部材の接続部がねじ結合されることを特徴とするものである。
【０００７】
本発明によれば、ボックスのフランジを床板や壁板に形成された配管穴の周縁に載置して固定する一方、その筒状体に継手部材の接続部をねじ結合することにより、ボックスを床板や壁板に簡単確実に固定することができるとともに、ボックスに継手部材を簡単確実に固定することができる。
【０００８】
この結果、継手部材には、鍔状固定部のない一般的な継手部材を用いることができ、コ
ストを削減することができるとともに、ボックスおよび継手部材の固定に際して作業性を損なうこともない。
【０００９】
本発明は、床下や壁裏に配管される水やガスなどの可撓性流体管および該流体管が挿通される可撓性さや管と、床上や壁表の管器具とを接続する中継接続具であって、該中継接続具が、筒状体および該筒状体の上端に一体に形成されたフランジからなるボックスと、ボックスの筒状体に収納され、接続部および取付部を有するとともに、接続部の上端にフランジが一体に形成された継手部材と、から構成され、床板や壁板に形成される配管穴の周縁にフランジが載置固定されるボックスの筒状体にさや管が取り付けられ、また、継手部材の接続部に床上や壁表に配設される管器具が接続されるとともに、その取付部に流体管が連結され、さらに、ボックスのフランジに継手部材のフランジが嵌合可能な凹部が形成され、ボックスのフランジの凹部に継手部材のフランジが嵌合されるとともに、ボックスのフランジに継手部材のフランジがビスを介してねじ結合されることを特徴とするものである。
【００１０】
本発明によれば、ボックスのフランジを床板や壁板に形成された配管穴の周縁に載置固定する一方、そのフランジの凹部に継手部材のフランジを嵌合するとともに、ボックスのフランジに継手部材のフランジをビスを介してねじ結合することにより、ボックスを床板や壁板に簡単確実に固定することができるとともに、ボックスに継手部材を簡単確実に固定することができる。
【００１１】
この結果、継手部材には、鍔状固定部のない一般的な継手部材を用いることができ、コストを削減することができるとともに、ボックスおよび継手部材の固定に際して作業性を損なうこともない。
【００１２】
本発明において、前記ボックスに、さや管と着脱自在な着脱部を有するカップリングがねじ結合されていると、さや管をカップリングを介して簡単に着脱自在に連結することができ、好ましい。
【発明の効果】
【００１３】
本発明によれば、安価に製造することができるとともに、固定に際して作業性を損なうこともない。
【発明を実施するための最良の形態】
【００１４】
以下、本発明の実施の形態を図面に基づいて説明する。
図１および図２には、本発明の流体管の中継接続具の一実施例が示されている。
【００１５】
この中継接続具１は、合成樹脂製のボックス２と、ボックス２内に収容される金属製の継手部材３とから構成されている。
【００１６】
ボックス２は、筒状体２１および筒状体２１の上端に一体に形成されたフランジ２２からなり、筒状体２１の上端部側内周面には、雌ねじ２１１が形成され、後述するように、フランジ２２側の上端開口を通して筒状体２１内に挿入される継手部材３の接続部３１の外周面に形成された雄ねじ３１１とねじ結合可能となっている。そして、ボックス２における筒状体２１の下端開口には、図３に示すように、流体管１０が挿通されるさや管１１を取り付けることができる。
【００１７】
ここで、ボックス２の筒状体２１に対するさや管１１の取付手段としては、接着剤により接着してもよく、さや管１１の管壁に食い込ませる係止爪を下端側開口内に設けて、挿入されたさや管１１を抜け止め状態に係止するものであってもよい。また、前記係止爪を
有する別体の止め具をボックス２の下端に取り付け、この止め具によりさや管１１をボックス２に取り付けるようにしてもよい。
【００１８】
ボックス２のフランジ２２には、図１に示すように、周方向に設定間隔をおいて複数個のビス穴２２１が形成されており、例えば、床板１２に形成された配管穴１２１の周縁に載置され、ビス穴２２１を通してビス１３を床板１２に打ち込むことにより、ボックス２を固定することができる。
【００１９】
継手部材３は、一端に床上や壁表に設置される管器具、例えば、立上管１４との接続部３１を有するとともに、他端に流体管１０との取付部３２を有し、接続部３１が取付部３２に対して回転自在に連結されている。そして、接続部３１の外周面には、前述したボックス２の筒状体２１に形成された雌ねじ２１１とねじ結合可能な雄ねじ３１１が形成されるとともに、その内周面には、雌ねじ３１２が形成されており、立上管１４に形成された雄ねじ１４１とねじ結合することができる。一方、継手部材３の取付部３２としては、取付部３２に流体管１０を挿入するだけで自動的に接続することができる構造が採用されている。
【００２０】
なお、接続部３１および取付部３２の構造は前記実施例に限らず、床上や壁表に設置される立上管１４などの管器具および流体管１０が接続あるいは連結できるように適宜変更される。
【００２１】
次に、このように構成された中継接続具１を使用して床下から床上に配管する場合について図３を参照して説明する。
【００２２】
まず、スラブ面上にさや管１１を配管し、その上に床板１２を敷設する。一方、床板１２には、管器具の取付位置に合わせて配管穴１２１を形成しておく。次いで、配管穴１２１よりさや管１１の一端を引き出し、ボックス２における筒状体２１の下端開口に取り付けた後、ボックス２の筒状体２１を床板１２の配管穴１２１を通して床下に収めるとともに、そのフランジ２２を床板１２の配管穴１２１の周縁に載置し、ビス穴２２１を通してビス１３を床板１２に打ち込んで固定する。
【００２３】
次に、さや管１１内に流体管１０を挿通し、ボックス２の筒状体２１を通して床板１２の上方に引き出すとともに、引き出した流体管１０の一端を継手部材３の取付部３２に挿入し、流体管１０を継手部材３に接続する。
【００２４】
次いで、流体管１０が接続された継手部材３の取付部３２をボックス２の上端開口よりボックス２の筒状体２１の内部に挿入して接続部３１を回転させることにより、その外周面に形成された雄ねじ３１１をボックス２における筒状体２１の内周面に形成された雌ねじ２１１にねじ込んで固定する。この際、継手部材３の接続部３１は、取付部３２に対して自由に回転できるため、予め流体管１０が連結された取付部３２に影響されることはない。また、図１に示すように、継手部材３の接続部３１の上端部は、上方より見て六角形状に形成されており、スパナなどの工具を利用してボックス２に対して容易に締結することができる。
【００２５】
その後、化粧カバー１５を嵌挿した立上管１４の雄ねじ１４１を継手部材３の接続部３１の雌ねじ３１２にねじ込んで接続し、化粧カバー１５を継手部材３上に被せて作業を終了する。
【００２６】
この際、立上管１４などの管器具の回転方向と、継手部材３の接続部３１の回転方向とが一致すると、立上管１４の回転によって継手部材３の接続部３１が共に回転する可能性
がある。このため、立上管１４の雄ねじ１４１と、継手部材３における接続部３１の雄ねじ３１１とは、互いに逆ねじとなるように設定することが好ましい。これに合わせて、立上管１４の雄ねじ１４１とねじ結合される継手部材３における接続部３１の雌ねじ３１２の方向が設定され、また、継手部材３における接続部３１の雄ねじ３１１とねじ結合されるボックス２における筒状体２１の雌ねじ２１１の方向が設定される。
【００２７】
一方、図４乃至図５には、本発明の流体管の中継接続具１の他の実施形態が示されている。
【００２８】
この中継接続具１も、ボックス２と、継手部材３とから構成されており、前述した実施形態のボックス２および継手部材３と相違する点についてのみ説明し、同一の構成については、同一の符号を付して詳細な説明を省略する。
【００２９】
ボックス２は、筒状体２１および筒状体２１の上端に一体に形成されたフランジ２２からなり、フランジ２２には、周縁部を残して凹部２２ａが形成され、後述するように、フランジ２２側の上端開口を通して筒状体２１内に挿入される継手部材３の接続部３１に一体に形成されたフランジ３３が嵌合可能となっている。
【００３０】
ボックス２のフランジ２２には、図４に示すように、周方向に設定間隔をおいて複数個のビス穴２２１が形成されるとともに、隣接するビス穴２２１の間に位置して周方向に設定間隔をおいて複数個の雌ねじ２２２が形成されている。このため、ボックス２の筒状体２１を配管穴１２１を通して床下に収納し、フランジ２２を床板１２に載置した際、ビス穴２２１を通してビス１３を床板１２に打ち込んで固定することができ、また、後述するように、継手部材３のフランジ３３に形成されたビス穴３３１を通してビス１６をボックス２のフランジ２２に形成された雌ねじ２２２にねじ込むことにより、ボックス２と継手部材３とを一体に固定することができる（図６参照）。
【００３１】
継手部材３は、一端に床上や壁表に設置される管器具との接続部３１を有するとともに、他端に流体管１０との取付部３２を有し、接続部３１の上端に一体にフランジ３３が形成されている。そして、継手部材３のフランジ３３には、ボックス２のフランジ２２に周方向に設定間隔をおいて形成された複数個の雌ねじ２２２に対応して、周方向に設定間隔をおいてビス穴３３１が形成されている。
【００３２】
この実施形態の継手部材３の取付部３２も、流体管１０を挿入するだけで自動的に接続することができる構造が採用されている。
【００３３】
次に、このように構成された中継接続具１を使用して床下から床上に配管する場合について図６を参照して説明する。
【００３４】
まず、スラブ面上にさや管１１を配管し、その上に床板１２を敷設する。一方、床板１２には、管器具の取付位置に合わせて配管穴１２１を形成しておく。次いで、配管穴１２１よりさや管１１の一端を引き出し、ボックス２における筒状体２１の下端開口に取り付けた後、ボックス２の筒状体２１を床板１２の配管穴１２１を通して床下に収めるとともに、そのフランジ２２を床板１２の配管穴１２１の周縁に載置し、ビス穴２２１を通してビス１３を床板１２に打ち込んで固定する。
【００３５】
次に、さや管１１内に流体管１０を挿通し、ボックス２の筒状体２１を通して床板１２の上方に引き出すとともに、引き出した流体管１０の一端を継手部材３の取付部３２に挿入し、流体管１０を継手部材３に接続する。
【００３６】
次いで、流体管１０が接続された継手部材３の取付部３２をボックス２の上端開口よりボックス２の筒状体２１の内部に挿入し、そのフランジ３３をボックス２のフランジ２２の凹部２２ａに嵌合配置した後、そのビス穴３３１を通してビス１６をボックス２のフランジ２２に形成された雌ねじ２２２にねじ込み、ボックス２に対して継手部材３を固定する。
【００３７】
その後、化粧カバー１５を嵌挿した立上管１４の雄ねじ１４１を継手部材３の接続部３１の雌ねじ３１２にねじ込んで接続し、化粧カバー１５を継手部材３上に被せて作業を終了する。
【００３８】
なお、前述した実施形態においては、ボックス２の筒状体２１の下端部に直接さや管１１を取り付けた場合を例示したが、図７に示すように、筒状体２１の下端部外周面に雄ねじ２１２を形成するとともに、さや管１１との着脱部１８を設けたカップリング１７の内周面に、筒状体２１の雄ねじ２１２とねじ結合可能な雌ねじ１７１を形成し、カップリング１７の雌ねじ１７１にボックス２の筒状体２１の雄ねじ２１２をねじ込んで連結した後、カップリング１７の着脱部１８にさや管１１を連結するようにしてもよい。
【産業上の利用可能性】
【００３９】
以上のように本発明の中継接続具によれば、洗面所やトイレなどにおいて、床下や壁裏に配管されたさや管に挿通された流体管を床上や壁表の管器具に接続するに際して、作業を簡単に行うことができるとともに、コストを低減することが可能となる。
【図面の簡単な説明】
【００４０】
【図１】本発明の流体管の中継接続具の一実施例を示す分解斜視図である。
【図２】図１の中継接続具を組み立てた断面図である。
【図３】図１の中継接続具の使用状態を説明する断面図である。
【図４】本発明の流体管の中継接続具の他の実施例を示す分解斜視図である。
【図５】図４の中継接続具を組み立てた断面図である。
【図６】図４の中継接続具の使用状態を説明する断面図である。
【図７】図４の中継接続具の変形例の使用状態を説明する断面図である。
【符号の説明】
【００４１】
１  中継接続具
２  ボックス
２１  筒状体
２１１  雌ねじ
２２  フランジ
３  継手部材
３１  接続部
３１１  雄ねじ
３２  取付部
３３  フランジ
３３１  雌ねじ
１０  流体管
１１  さや管
１２  床板
１２１  配管穴
１３，１６  ビス
１４  立上管
【図１】
2006283357.tif 000003
【図２】
2006283357.tif 000004
【図３】
2006283357.tif 000005
【図４】
2006283357.tif 000006
【図５】
2006283357.tif 000007
【図６】
2006283357.tif 000008
【図７】
2006283357.tif 000009